(57)【要約】【課題】所望の印字特性を得ることができる液体噴射装置を提供する。【解決手段】被吐出媒体に対し第１の方向に相対的に移動し、被吐出媒体に対して液体を吐出する液体噴射ヘッドと、被吐出媒体を液体噴射ヘッドに対し第２の方向に相対的に搬送する搬送手段と、被吐出媒体の前記液体噴射ヘッドとは逆側の面を吸着する吸着手段と、吸着手段が、液体噴射ヘッドが前記被吐出媒体に対して前記液体を吐出する場合に吸着し、搬送手段により第２の方向に前記被吐出媒体が相対的に搬送されるときは前記液体の吐出時に比べて吸着力を弱めるように制御する制御手段を備える。【選択図】図５
2014188907.tif 000002
【特許請求の範囲】
【請求項１】
被吐出媒体に対し第１の方向に相対的に移動し、前記被吐出媒体に対して液体を吐出する液体噴射ヘッドと、
被吐出媒体を前記液体噴射ヘッドに対し第２の方向に相対的に搬送する搬送手段と、
前記被吐出媒体の前記液体噴射ヘッドとは逆側の面を吸着する吸着手段と、
前記吸着手段が、前記液体噴射ヘッドが前記被吐出媒体に対して前記液体を吐出する場合に吸着し、前記搬送手段により前記第２の方向に前記被吐出媒体が相対的に搬送されるときは前記液体の吐出時に比べて吸着力を弱めるように制御する制御手段とを備えることを特徴とする液体噴射装置。
【請求項２】
前記制御手段は、前記液体噴射ヘッドが前記被吐出媒体に対して前記液体を吐出する場合に、前記被吐出媒体の前記液体噴射ヘッドに対向する領域を吸着し、前記液体噴射ヘッドに対向しなくなった領域では対向していた時に比べて吸着力を弱めるように、前記吸着手段を制御することを特徴とする請求項１記載の液体噴射装置。
【請求項３】
前記吸着手段は、前記第１の方向に亘って設けられると共に、前記第１の方向に亘って複数に分割された領域毎に吸着力を変更できるように構成され、
前記制御手段は、前記液体噴射ヘッドに対向する領域の前記吸着手段が吸着をし、前記液体噴射ヘッドに対向しなくなった領域の前記吸着手段は対向していた時に比べて吸着力を弱めるように前記吸着手段を制御することを特徴とする請求項２記載の液体噴射装置。
【請求項４】
前記吸着手段は、被吐出媒体に対し前記第１の方向に相対的に移動可能であるように構成され、
前記吸着手段が前記液体噴射ヘッドに対して移動して、前記液体噴射ヘッドに対向する領域では吸着し、前記液体噴射ヘッドに対向しなくなった領域では対向していた時に比べて吸着力を弱めるように制御されることを特徴とする請求項２記載の液体噴射装置。
【請求項５】
前記吸着手段が、前記被吐出媒体の前記液体噴射ヘッドとは逆側の面を吸引して負圧を形成することで前記被吐出媒体を吸着する吸引手段であることを特徴とする請求項１〜４のいずれか一項に記載の液体噴射装置。
【請求項６】
前記被吐出媒体に対し相対的に移動しながら前記被吐出媒体の前記液体噴射ヘッドとは逆側の面を支持するプラテンをさらに有し、
前記吸着手段は、前記被吐出媒体を前記プラテンに吸着することを特徴とする請求項１〜５のいずれか一項に記載の液体噴射装置。
【請求項７】
前記制御手段は、前記搬送手段により前記第２の方向に前記被吐出媒体が相対的に搬送されるときは、吸着力がゼロになるまで弱めることを特徴とする請求項１〜６のいずれか一項に記載の液体噴射装置。
【発明の詳細な説明】
【技術分野】
【０００１】
本発明は液体噴射装置に関する。
【背景技術】
【０００２】
液体を噴射する液体噴射ヘッドには、ノズルに連通する圧力室が設けられた流路形成基板の一方面側に圧電素子（アクチュエーター装置）を設け、圧電素子の変位によって圧力室内の圧力変動を行わせてインク滴をノズルから吐出するインクジェット式記録ヘッドが知られている。このようなインクジェット式記録ヘッドが搭載されたインクジェット式記録装置では、記録媒体にインクを吐出して記録媒体にしみこませることで画像を形成している。この場合に、記録媒体がインクを吸収することで、吸収した部分が膨張して浮き上がり、その周囲に凹凸ができることがある。このような凹凸ができると、記録ヘッドの液体噴射面と記録媒体との距離が変わってしまい、インクジェット式記録装置が所望の印字特性を得ることができない。
【０００３】
このような凹凸を減少させるために、記録媒体が載置されるプラテンに吸引ファンを設けて、この吸引ファンを駆動させて記録媒体をプラテンに吸着するものが知られている。
【先行技術文献】
【特許文献】
【０００４】
【特許文献１】特開２００２−１２７５１５号公報（請求項１等）
【発明の概要】
【発明が解決しようとする課題】
【０００５】
特許文献１に記載された発明によれば、記録媒体をプラテンに吸着することで、記録媒体を平坦にすることができ、記録媒体に凹凸ができることによる印字特性の低下を抑制することはできる。しかしながら、このようなインクジェット式記録装置では、吸引により摩擦力が増大し、記録媒体が搬送しにくいことがある。この場合にも所望の印字特性を得ることができないことがある。
【０００６】
そこで、本発明の課題は、上記従来技術の問題点を解決することにあり、印字特性を向上することができる液体噴射装置を提供しようとするものである。
【課題を解決するための手段】
【０００７】
本発明の液体噴射装置は、被吐出媒体に対し第１の方向に相対的に移動し、前記被吐出媒体に対して液体を吐出する液体噴射ヘッドと、被吐出媒体を前記液体噴射ヘッドに対し第２の方向に相対的に搬送する搬送手段と、前記被吐出媒体の前記液体噴射ヘッドとは逆側の面を吸着する吸着手段と、前記吸着手段が、前記液体噴射ヘッドが前記被吐出媒体に対して前記液体を吐出する場合に吸着し、前記搬送手段により前記第２の方向に前記被吐出媒体が相対的に搬送されるときは前記液体の吐出時に比べて吸着力を弱めるように制御する制御手段とを備えることを特徴とする。前記液体噴射ヘッドが前記被吐出媒体に対して前記液体を吐出する場合に吸着し、前記搬送手段により前記第２の方向に前記被吐出媒体が相対的に搬送されるときは前記液体の吐出時に比べて吸着力を弱めるように制御する制御手段を備えることで、前記第２の方向に前記被吐出媒体を相対的に搬送するときに吸着力が弱まって（低下して）、スムーズに被吐出媒体を搬送することができ、所望の印字特性を得ることができる。なお、ここで吸着力を弱めるとは、全く吸着しない状態（吸着力が０である場合）を含む。
【０００８】
前記制御手段は、前記液体噴射ヘッドが前記被吐出媒体に対して前記液体を吐出する場合に、前記被吐出媒体の前記液体噴射ヘッドに対向する領域を吸着し、前記液体噴射ヘッドに対向しなくなった領域では対向していた時に比べて吸着力を弱めるように、前記吸着手段を制御することが好ましい。このように構成することで、被吐出媒体に対する応力を低下させ、より所望の印字特性を得ることができる。
【０００９】
本発明の好ましい実施形態としては、前記吸着手段は、前記第１の方向に亘って設けられると共に、前記第１の方向に亘って複数に分割された領域毎に吸着力を変更できるように構成され、前記制御手段は、前記液体噴射ヘッドに対向する領域の前記吸着手段が吸着をし、前記液体噴射ヘッドに対向しなくなった領域の前記吸着手段は対向していた時に比べて吸着力を弱めるように前記吸着手段を制御することが挙げられる。
【００１０】
本発明の好ましい実施形態としては、前記吸着手段は、被吐出媒体に対し前記第１の方向に相対的に移動可能であるように構成され、前記吸着手段が前記液体噴射ヘッドに対して移動して、前記液体噴射ヘッドに対向する領域では吸着し、前記液体噴射ヘッドに対向しなくなった領域では対向していた時に比べて吸着力を弱めるように制御されることが挙げられる。
【００１１】
本発明の好ましい実施形態としては、前記吸着手段が、前記被吐出媒体の前記液体噴射ヘッドとは逆側の面を吸引して負圧を形成することで前記被吐出媒体を吸着する吸引手段であることが挙げられる。
【００１２】
本発明の好ましい実施形態としては、前記被吐出媒体に対し相対的に移動しながら前記被吐出媒体の前記液体噴射ヘッドとは逆側の面を支持するプラテンをさらに有し、前記吸着手段は、前記被吐出媒体を前記プラテンに吸着することが挙げられる。
【００１３】
前記制御手段は、前記搬送手段により前記第２の方向に前記被吐出媒体が相対的に搬送されるときは、吸着力がゼロになるまで弱めることが好ましい。吸着力がゼロになるまで弱めることで、最も搬送しやすくなる。
【図面の簡単な説明】
【００１４】
【図１】実施形態１に係る記録装置の概略斜視図である。
【図２】実施形態１に係るプラテンの模式的断面図である。
【図３】実施形態１に係る記録ヘッドの断面図である。
【図４】実施形態１に係る制御系を示すブロック図である。
【図５】実施形態１に係る吸引手段の作動を説明するための模式的断面図。
【図６】別の吸引手段の作動を説明するための模式的断面図。
【発明を実施するための形態】
【００１５】
以下に本発明を実施形態に基づいて詳細に説明する。
【００１６】
（実施形態１）
図１は、本発明の実施形態１に係る記録装置の概略斜視図である。
【００１７】
記録装置Ｉでは、インクジェット式記録ヘッド１（以下、記録ヘッド１とも言う）にインク供給手段を構成するインクカートリッジ２が着脱可能に設けられ、この記録ヘッド１を搭載したキャリッジ３は、装置本体４に取り付けられたキャリッジ軸５に軸方向移動可能に設けられている。この記録ヘッド１は、例えば、ブラックインク組成物及びカラーインク組成物を吐出するものとしている。
【００１８】
また、インクジェット式記録装置Ｉには、詳しくは後述するが、当該インクジェット式記録装置Ｉの動作を制御する制御手段である制御装置１００が設けられている。
【００１９】
そして、駆動モーター６の駆動力が図示しない複数の歯車およびタイミングベルト７を介してキャリッジ３に伝達されることで、記録ヘッド１を搭載したキャリッジ３はキャリッジ軸５に沿って移動される。他方、装置本体４にはキャリッジ軸５に沿ってプラテン８が設けられており、図示しない給紙ローラーなどにより給紙された紙等の記録媒体である記録シートＳがプラテン８に載置されて搬送されるようになっている。
【００２０】
プラテン８は、本実施形態では、記録シートＳが載置される載置面８１にスリット状の開口８２が設けられている。開口８２は、複数形成されており、主走査方向（詳細は後述する）に沿ってプラテン８の長手方向に亘って列設されている。
【００２１】
図２に示すように、プラテン８内部には、シャッター８３が各開口８２に対向して設けられている。このシャッター８３は、開閉可能であるように構成され、それぞれ詳しくは後述する制御装置１００により開閉制御される。また、プラテン８内部には、吸引ファン８４が設けられ、これによりプラテン８内部を負圧にすることができる。従って、吸引ファン８４が駆動している状態で、かつ、シャッター８３が開状態である場合には、この開状態であるシャッター８３に対応する開口８２上に載置された記録シートＳを印字面の裏側から（即ち記録ヘッドとは逆側の面から）吸引して吸着することができる。また、シャッター８３が閉状態である場合には、この閉状態であるシャッター８３に対応する開口８２上に載置された記録シートＳは吸着されていない。
【００２２】
かかる吸引ファン８４についても制御装置１００により駆動制御されている。本実施形態では、この吸引ファン８４、開口８２及びシャッター８３により吸引手段８０が構成される。
【００２３】
ここで、このようなインクジェット式記録装置Ｉに搭載されたインクジェット式記録ヘッド１について説明する。図３は、本発明の実施形態１に係る液体噴射ヘッドの一例であるインクジェット式記録ヘッドを示す断面図である。
【００２４】
図３に示すように、流路形成基板５０はシリコン単結晶基板からなり、その一方面側の表層部分には、複数の隔壁５１によって画成された圧力発生室５２がその幅方向（短手方向）に並設されている。また、各圧力発生室５２の長手方向一端部側には、各圧力発生室５２に液体の一例であるインクを供給するためのマニホールド５３が液体供給路の一例であるインク供給路５４を介して連通されている。また、流路形成基板５０の圧力発生室５２の開口面側は振動板５５で封止され、他方面側にはノズル開口５６が穿設されたノズル形成部材の一例であるノズルプレート５７が接着剤や熱溶着フィルムを介して接着されている。
【００２５】
流路形成基板５０上に形成された振動板５５は、例えば、樹脂フィルム等の弾性部材からなる弾性膜５５ａと、この弾性膜５５ａを支持する、例えば、金属材料等からなる支持板５５ｂとの複合板で形成されており、弾性膜５５ａ側が流路形成基板５０に接合されている。例えば、本実施形態では、弾性膜５５ａは、厚さが数μｍ程度のＰＰＳ（ポリフェニレンサルファイド）フィルムからなり、支持板５５ｂは、厚さが数十μｍ程度のステンレス鋼板（ＳＵＳ）からなる。また、振動板５５の各圧力発生室５２に対向する領域内には、圧電アクチュエーター１１の先端部が当接する島部５９が設けられている。すなわち、振動板５５の各圧力発生室５２の周縁部に対向する領域に他の領域よりも厚さの薄い薄肉部６０が形成され、この薄肉部６０の内側にそれぞれ島部５９が設けられている。本実施形態では、振動板５５に、島部５９を設けることで、振動板５５に他の領域（薄肉部６０）よりも厚さの厚い厚肉部が設けられている。
【００２６】
また、振動板５５のマニホールド５３に対向する領域には、薄肉部６０と同様に、支持板５５ｂがエッチングにより除去されて実質的に弾性膜５５ａのみで構成されるコンプライアンス部６１が設けられている。なお、このコンプライアンス部６１は、マニホールド５３内に圧力変化が生じた時に、このコンプライアンス部６１の弾性膜５５ａが変形することによって圧力変化を吸収し、マニホールド５３内の圧力を常に一定に保持する役割を果たす。
【００２７】
振動板５５上には、図示しない複数の液体貯留体の一例であるインクカートリッジに接続される液体供給路の一例であるインク供給路を有するヘッドケース５８が固定されており、且つこのヘッドケース５８には、圧電アクチュエーターユニット１０が高精度に位置決めされて固定されている。すなわち、ヘッドケース５８は、貫通した収容部５８ａが設けられており、この収容部５８ａの一方の内面に圧電アクチュエーターユニット１０が、各圧電アクチュエーター１１の先端が振動板５５上の各圧力発生室５２に対応する領域に設けられた各島部５９（厚肉部）に接着剤６３を介して接着されて固定されている。
【００２８】
ここで、圧電アクチュエーターユニット１０は、複数の圧電アクチュエーター１１がその幅方向に並設された列を有する圧電アクチュエーター形成部材１３と、圧電アクチュエーター形成部材１３の先端部（一端部）側が自由端となるようにその基端部（他端部）側が固定端として接合される固定板１４とを有する。
【００２９】
圧電アクチュエーター形成部材１３は、圧電材料層１５と、圧電アクチュエーター１１の２つの極を構成する内部電極、すなわち、隣接する圧電アクチュエーター１１と電気的に独立する個別電極１６と、隣接する圧電アクチュエーター１１と電気的に共通する共通電極１７とを交互に挟んで積層することにより形成されている。
【００３０】
この圧電アクチュエーター形成部材１３には、例えば、ワイヤーソー等によって複数のスリット１８が形成され、その先端部側が櫛歯状に切り分けられて圧電アクチュエーター１１の列が形成されている。
【００３１】
また、圧電アクチュエーター１１の固定板１４に接合される領域は、振動に寄与しない不活性領域となっており、圧電アクチュエーター１１を構成する個別電極１６及び共通電極１７間に電圧を印加すると、固定板１４に接合されていない先端部側の領域のみが振動する。
【００３２】
このような圧電アクチュエーターユニット１０は、固定板１４が、圧電アクチュエーター形成部材１３が固定された面とは反対側の面がヘッドケース５８の収容部５８ａに固定される。また、各圧電アクチュエーター１１の先端面が、振動板５５の島部（厚肉部）５９に接着剤６３を介して接着される。
【００３３】
さらに、ヘッドケース５８上には、回路基板３０の各配線３１がそれぞれ接続される複数の導電パッド３２が設けられた配線基板３３が固定されており、ヘッドケース５８の収容部５８ａは、この配線基板３３によって実質的に塞がれている。配線基板３３には、ヘッドケース５８の収容部５８ａに対向する領域にスリット状の開口部３４が形成されており、回路基板３０はこの配線基板３３の開口部３４から収容部５８ａの外側に折り曲げられて引き出されている。
【００３４】
ここで、圧電アクチュエーターユニット１０を構成する回路基板３０は、例えば、本実施形態では、圧電アクチュエーター１１を駆動するための駆動ＩＣ（図示なし）が搭載されたチップオンフィルム（ＣＯＦ）からなる。そして、回路基板３０の各配線３１は、その基端部側では、例えば、半田、異方性導電材等によって圧電アクチュエーター１１を構成する個別電極１６及び共通電極１７に接続されている。一方、先端部側では、各配線３１は配線基板３３の各導電パッド３２に接合されている。具体的には、配線基板３３の開口部３４から収容部５８ａの外側に引き出された回路基板３０の先端部が配線基板３３の表面に沿って折り曲げられた状態で、各配線３１は配線基板３３の各導電パッド３２に接合されている。
【００３５】
なお、このようなインクジェット式記録ヘッド１では、インク滴を吐出する際に、圧電アクチュエーター１１及び振動板５５の変形によって各圧力発生室５２の容積を変化させて所定のノズル開口５６からインク滴を吐出させるようになっている。具体的には、図１に示すインクカートリッジ２からマニホールド５３にインクが供給されると、インク供給路５４を介して各圧力発生室５２にインクが分配される。実際には、圧電アクチュエーター１１に電圧を印加することにより圧電アクチュエーター１１を収縮させる。これにより、振動板５５が圧電アクチュエーター１１と共に変形されて圧力発生室５２の容積が広げられ、圧力発生室５２内にインクが引き込まれる。そして、ノズル開口５６に至るまで内部にインクを満たした後、配線基板３３を介して制御装置１００から供給される記録信号に従い、圧電アクチュエーター１１の個別電極１６及び共通電極１７に印加していた電圧を解除する。これにより、圧電アクチュエーター１１が伸張されて元の状態に戻ると共に振動板５５も変位して元の状態に戻る。結果として圧力発生室５２の容積が収縮して圧力発生室５２内の圧力が高まりノズル開口５６からインク滴が吐出される。
【００３６】
このようなインクジェット式記録ヘッド１を具備するインクジェット式記録装置Ｉを制御する制御装置１００について説明する。なお、図４は、本発明の実施形態１に係る記録装置の制御系を示すブロック図である。
【００３７】
図４に示すように、インクジェット式記録装置Ｉでは、実際の印刷を行う機構部となる記録ヘッド１と、駆動モーター６及び紙送りモーターと、記録ヘッド１並びに駆動モーター６及び紙送りモーターの動作を制御する制御装置１００とを具備する。
【００３８】
制御装置１００は、印刷制御手段１０１、記録ヘッド駆動回路１０２、位置制御手段１０３及び吸引制御手段１０４とを具備する。
【００３９】
印刷制御手段１０１は、インクジェット式記録装置Ｉから制御装置１００に印刷信号が入力されると、記録ヘッド１の印刷動作の制御を開始する。例えば、印刷制御手段１０１は、印刷信号の入力に伴って記録ヘッド駆動回路１０２を介して圧電アクチュエーター１１に駆動パルス（記録信号）を印加して、記録ヘッド１からインクを吐出させる。また、印刷制御手段１０１は、インクジェット式記録装置Ｉに印刷信号が入力されると、印刷動作信号を位置制御手段１０３及び吸引制御手段１０４に入力する。
【００４０】
位置制御手段１０３は、印刷動作信号に従い、記録ヘッド１の印刷時やクリーニング動作時等の主走査方向及び副走査方向の位置決めを行う。
【００４１】
印刷動作信号が位置制御手段１０３に入力された場合、位置制御手段１０３は、駆動モーター６を駆動してキャリッジ３を主走査方向に移動することで記録ヘッド１の主走査方向の位置決めを行い、図示しない紙送りモーターを駆動して記録シートＳを副走査方向に移動することで記録シートＳに対する記録ヘッド１の副走査方向の位置決めを行っている。つまり、主走査方向（第１の方向）とはキャリッジ３の移動方向のことであり、副走査方向（第２の方向）とは主走査方向に交差する方向、本実施形態では、記録シートＳの搬送方向のことである。そして、位置制御手段１０３は、印刷時には記録ヘッド１が搭載されたキャリッジ３を主走査方向に移動させながら、記録シートＳを副走査方向に移動させる。本実施形態では、記録ヘッド１を主走査方向に一往復させると、記録シートＳを副走査方向に移動させる。
【００４２】
吸引制御手段１０４は、印刷動作信号に従い、吸引手段８０の作動を制御する。以下、詳細に説明する。
【００４３】
吸引制御手段１０４による制御は、印刷制御手段１０１から印刷信号が入力されると開始される。本実施形態では、吸引制御手段１０４は、制御開始後、吸引ファン８４を作動させると共に、キャリッジ３の作動に併せてシャッター８３を開閉動作させる。
【００４４】
具体的には、吸引制御手段１０４は、印刷動作信号が入力されると、記録ヘッド１が記録シートＳに対して印字を行う場合に吸引し、副走査方向に記録シートＳを搬送するときは吸引しない。さらにこの印字を行う場合について説明すると、吸引制御手段１０４は、記録シートＳの記録ヘッド１に対向している領域を吸着し、記録ヘッド１が移動して対向した領域では吸着しない。
【００４５】
詳細に吸引制御手段１０４による制御内容を説明すれば、吸引制御手段１０４は、印刷動作信号が入力されると吸引ファン８４を作動させる。吸引ファン８４が作動された状態で、吸引制御手段１０４は、記録シートＳが副走査方向に搬送されている場合には、全てのシャッター８３を閉状態とするように制御する。
【００４６】
このように構成されていることで、記録シートＳが副走査方向に搬送されている場合には記録シートＳが吸引されていないので搬送されやすく、印刷位置のずれを抑制して印字特性の低下を抑制することができる。つまり、プラテン８の全ての開口８２のシャッター８３が開状態となっている場合には吸引力が大きいため、このまま記録シートＳを副走査方向に搬送しようとしても記録シートＳの副走査方向における搬送が難しく、印刷位置がずれやすくこれが印字特性の低下につながることが考えられる。そこで、本実施形態では、搬送時には吸引手段８０を停止するように吸引制御手段１０４により制御して、印刷位置のずれを抑制して印字特性の低下を抑制しているのである。
【００４７】
そして、さらに本実施形態では、吸引制御手段１０４は、キャリッジ３が作動して主走査方向に移動しつつ、かつ、記録ヘッド１がインク吐出を行っている（印字を行っている）場合には、記録ヘッド１に対向する位置のシャッター８３のみを開状態とするように制御し、記録ヘッド１に対向しない位置のシャッター８３については閉状態とするように制御する。
【００４８】
このため、吸引制御手段１０４は、位置制御手段１０３からキャリッジ３の、即ち記録ヘッド１の位置情報を取得すると共に、記録ヘッド駆動回路１０２から記録ヘッド１の駆動情報を取得する。そして、吸引制御手段１０４は、これらの情報に基づいて、どの開口８２に設けられたシャッター８３を開状態とすればよいのかを判断し、記録ヘッド１に対向する位置のシャッター８３のみを開状態とする。
【００４９】
なお、記録ヘッド１が主走査方向において移動することで記録シートＳよりも外側に位置する場合には、全てのシャッター８３が閉状態となるように吸引制御手段１０４は制御している。
【００５０】
このような吸引制御手段１０４による制御により、図５に示すように、キャリッジ３が駆動されて主走査方向に移動する場合に、記録ヘッド１に対向する位置のシャッター８３のみが開状態となり、記録ヘッド１に対向しない位置のシャッター８３については閉状態となる。次の瞬間には記録ヘッド１が移動していることから、現在記録ヘッド１に対向する位置のシャッター８３が閉状態となる。即ち、液体噴射ヘッドに対向しなくなった領域の吸引手段８０は対向していた時に比べて吸着力が弱まる。そして、インク吐出している記録ヘッド１に対向する位置のシャッター８３については開状態となっているから、記録シートＳがプラテン８の載置面８１に吸着される。これにより記録ヘッド１により印字される記録シートＳの領域が平坦となり凹凸がなくなるので、印字特性の低下が抑制される。
【００５１】
そして、記録シートＳの記録ヘッド１に対向しない位置については、シャッター８３が閉状態となり記録シートＳはプラテン８の載置面８１に吸着されず、プラテン８のうち液体噴射している記録ヘッド１に対向した領域のみで記録シートＳは吸着されていることから、より印字特性の低下を抑制できる。
【００５２】
即ち、記録ヘッド１からのインク吐出中に、プラテン８の全ての開口８２のシャッター８３が開状態となっていて記録シートＳが主走査方向において全て吸引されるとしても記録シートの副走査方向における搬送は問題がない。しかしながら、記録シートＳが主走査方向において全て吸引されると、記録シートＳに応力が加わり、記録シートＳの種類によっては記録シートＳに皺がよりやすいことも考えられる。これに対し、本実施形態では、プラテン８のうち液体噴射している記録ヘッド１に対向した領域のみで吸引されていることから、記録シートＳに加わる応力が小さく、これにより皺がよりにくい。従って、本実施形態のように、記録シートＳの記録ヘッド１に対向しない位置については、シャッター８３が閉状態となり記録シートＳはプラテン８の載置面８１に吸着されないように構成することが好ましいのである。
【００５３】
このように、本実施形態では、印字中（液体吐出中）には、記録ヘッド１に対向する液体吐出領域が吸引されて平坦面となり、かつ、記録シートＳが副走査方向に搬送されている場合には記録シートＳが吸引されていないので搬送されやすく、印刷位置のずれを抑制して印字特性の低下を抑制することができる。
【００５４】
本実施形態では、プラテン８に形成された各開口８２に設けられた各シャッター８３のそれぞれの開閉状態を制御することで、主走査方向に移動する記録ヘッド１に対応して記録シートＳの吸引が行われているが、これに限定されない。例えば、図６に示すように吸引手段８０自体が主走査方向に移動する記録ヘッド１に対応して移動するように構成されていても良い。また、吸引ファン８４自体がプラテン８内を移動してもよい。即ち、この吸引領域が記録ヘッド１の移動に対応して移動するように構成されていればよい。この時、吸引手段８０は記録ヘッド１と対抗する位置に存在するように、キアやベルト等を用いて、吸引手段８０と記録ヘッド１とが互いに連動するような構造にしておくことが望ましい。
【００５５】
本実施形態では吸引手段８０により記録シートＳを吸着としたが、これに限定されない。記録シートＳを所定の場合にプラテン８の載置面に吸着することができればどのような手段でもよいが、例えば静電気を用いて上記したような所定の場合にのみ吸着することができるように構成してもよい。また、記録ヘッド１側から記録シートＳを押圧することで記録シートＳを記録ヘッド１側から吸着するように構成してもよい。
【００５６】
本実施形態では、所定の場合にはシャッター８３については閉状態（吸引力がゼロである状態）としたがこれに限定されず、シャッター８３の開度を変更しても良い。例えば、シャッター８３の開度を開口８２に対して５０％とすることで、吸引力を低下させて、即ち記録シートＳの吸着力を弱くなるように構成してもよい。このように構成したとしても、吸引力が低下することで、記録シートＳの副走査方向における搬送をスムーズに行うことができる。
【００５７】
本実施形態では、開口８２の形状はスリット状であるとしたが、これに限定されない。例えば、マトリクス状に複数の矩形状の開口が設けられていても良いし、その形状が円形などであってもよい。記録ヘッド１よりも小さい開口が設けられていればよい。
【００５８】
本実施形態では複数の開口８２に対し一つの吸引ファン８４を設け、これを駆動してプラテン８内を負圧として吸引を行ったが、これに限定されない。プラテン８内に複数の吸引ファン８４が設けてあってもよい。複数の吸引ファン８４を設ける場合、プラテン８内部を各吸引ファン８４に対応した複数の領域に区画して、領域毎に吸引ファン８４による吸引制御を行ってもよい。また、領域毎に個別に吸引ファン８４による吸引制御の吸着力を変更してもよい。
【００５９】
本実施形態では、各開口８２に対応する各シャッター８３の開閉状態をそれぞれ制御したが、これに限定されない。例えば、プラテン８の長手方向において各開口８２及びこれに対応する各シャッター８３を複数の領域に分け、領域毎にシャッター８３の開閉状態を制御してもよい。また、このようにプラテン８の長手方向において各開口８２及びこれに対応する各シャッター８３を複数の領域に分ける場合には、各開口８２に対して各シャッター８３を設けずに、各領域における複数の開口８２に亘ってシャッター８３が設けられていても良い。
【００６０】
本実施形態では、主走査方向に移動する記録ヘッドに対向する領域の開口８２のシャッター８３のみが開状態となったが、これに限定されない。記録ヘッド１の移動方向における開口８２のシャッター８３を予め開状態とするように構成してもよい。このように構成することで、記録シートＳを確実に吸着することができ、より安定して印字を行うことができる。特に高速で記録ヘッド１を移動させる場合において印字特性の低下を抑制することができる。
【００６１】
本実施形態では、記録シートＳよりも外側に記録ヘッド１が移動した場合には記録シートＳが副走査方向に移動しなくても全ての開口８２のシャッター８３を閉状態としたが、これに限定されない。記録シートＳが副走査方向に移動していなければ、シャッター８３を開状態としてもよい。また、記録シートＳよりも外側に記録ヘッド１が移動した場合には、次に記録ヘッド１が移動してくる位置の開口８２に対応するシャッター８３を開状態とし、残りの開口８２を閉状態としてもよい。
【００６２】
さらに、上述した実施形態では、記録ヘッド１を主走査方向に一往復させると、記録シートＳを副走査方向に移動させるものを例示したがこれに限定されない。記録ヘッド１を主走査方向に複数回往復させると、記録シートＳを副走査方向に移動させるものであってもよく、この場合には、記録シートＳよりも外側に記録ヘッド１が移動した場合には、シャッター８３を開状態としても閉状態としてもよい。
【００６３】
また、上述した実施形態では、記録ヘッド１が主走査方向、即ち第１の方向に移動し、記録シートＳが副走査方向、即ち第２の方向に移動されるものであったが、これに限定されない。記録ヘッド１が記録シートＳに対し第１の方向に相対的に移動し、記録シートＳが記録ヘッド１に対し第２の方向に相対的に移動するものであればよく、例えば記録ヘッド１が第１の方向及び第２の方向に移動するように構成されているものであってもよい。
【００６４】
（他の実施形態）
以上、本発明の一実施形態について説明したが、本発明の基本的な構成は上述したものに限定されるものではない。例えば、上述した実施形態や変形例を２つ以上組み合わせてもよいし、これらと以下の実施形態の１つまたは２つ以上を組み合わせてもよい。
【００６５】
また、上述した一実施形態では、流路（圧力発生室）に圧力変化を生じさせる圧力発生手段として、圧電材料層１５を用いた圧電アクチュエーター１１を例示したが、圧力発生手段は、特にこれに限定されるものではなく、所謂静電アクチュエーターやサーマルアクチュエーター等を用いてもよい。そもそも記録ヘッド１の構造はなんら限定されるものではなく、様々な構造を採用することができる。
【００６６】
また、上述した例では、インクジェット式記録装置Ｉは、液体貯留手段であるインクカートリッジ２がキャリッジ３に搭載された構成であるが、特にこれに限定されず、例えば、インクタンク等の液体貯留手段を装置本体４に固定して、貯留手段とインクジェット式記録ヘッド１とをチューブ等の供給管を介して接続してもよい。また、液体貯留手段がインクジェット式記録装置に搭載されていなくてもよい。
【００６７】
なお、上述した例では、インクジェット式記録装置Ｉとして、記録ヘッド１がキャリッジ３に搭載されて主走査方向に移動するものを例示したが、その構成は特に限定されるものではない。インクジェット式記録装置Ｉは、例えば、記録ヘッド１を固定し、紙等の記録シートＳを副走査方向に移動させることで印刷を行う、いわゆるライン式の記録装置であってもよい。この場合であっても、紙等の記録シートＳを副走査方向に移動させる際には吸引制御手段１０４により吸引手段８０を駆動させないように構成することで、上述した実施形態と同様の効果を得ることが可能である。
【００６８】
なお、上記各実施形態においては、液体噴射装置の一例としてインクジェット式記録装置を挙げて説明したが、本発明は、広く液体噴射ヘッドを具備する液体噴射装置全般を対象としたものであり、インク以外の液体を噴射する液体噴射ヘッドを具備する液体噴射装置にも勿論適用することができる。その他の液体噴射ヘッドとしては、例えば、プリンター等の画像記録装置に用いられる各種の記録ヘッド、液晶ディスプレイ等のカラーフィルターの製造に用いられる色材噴射ヘッド、有機ＥＬディスプレイ、ＦＥＤ（電界放出ディスプレイ）等の電極形成に用いられる電極材料噴射ヘッド、バイオｃｈｉｐ製造に用いられる生体有機物噴射ヘッド等が挙げられ、かかる液体噴射ヘッドを備えた液体噴射装置に適用できる。
【符号の説明】
【００６９】
Ｉ  インクジェット式記録装置（液体噴射装置）、  １  インクジェット式記録ヘッド（液体噴射ヘッド）、  １０  圧電アクチュエーターユニット、  １１  圧電アクチュエーター、  ５０  流路形成基板、  ５２  圧力発生室、  ５８  ヘッドケース、  １００  制御装置（制御手段）、  １０１  印刷制御手段、  １０４  吸引制御手段
【図１】
2014188907.tif 000003
【図２】
2014188907.tif 000004
【図３】
2014188907.tif 000005
【図４】
2014188907.tif 000006
【図５】
2014188907.tif 000007
【図６】
2014188907.tif 000008